(57)【要約】【課題】内容物をスパウトから直接飲む場合に飲みやすく、効率よく、輸送、保管及び陳列することができるスパウト付きパウチ容器を提供する。【解決手段】表裏一対の外装シート１１、１２及び両外装シート１１、１２の下部から内側に折り込まれてボトムガセット部を形成するガセットシート１３からなるパウチ１０と、パウチ１０に装着されるスパウト２０とから構成されており、外装シート１１、１２の内面の周縁同士が相互にヒートシールされると共にガセットシート１３の内面の周縁が外装シート１１、１２の内面にヒートシールされることで袋状に形成されている。外装シート１２は、上部を下方側に折り返した第１の外装シート１２ａと、この外装シート１２ａの折り返し部に重ね合わされる第２の外装シート１２ｂとに分割されており、両者の重ね合わせ部分には、縦方向に引き延ばし可能な余剰部１２Ａと吊下穴１２Ｂａを有する吊下部１２Ｂとが形成されている。【選択図】        図１
2008081128.tif 000002
【特許請求の範囲】
【請求項１】
パウチを形成している正面側の外装シート及び背面側の外装シートにおける相互にヒートシールされている上縁にスパウトが装着されたスパウト付きパウチ容器において、
前記パウチは、その上部に、正面側または背面側のいずれか一方の前記外装シートが、縦方向に引き延ばし可能に重複している余剰部を有しており、
前記余剰部の先端側には、吊下穴が形成された吊下部が連設されていることを特徴とするスパウト付きパウチ容器。
【発明の詳細な説明】
【技術分野】
【０００１】
この発明は、例えば、清涼飲料等の液体飲料やゼリー飲料等を充填する容器に適したスパウト付きパウチ容器に関する。
【背景技術】
【０００２】
近年、清涼飲料等の液体飲料を充填する容器としては、例えば、図１４に示すように、柔軟性シートによって形成されたボトムガセット部を有するパウチ５１に、飲口または注口となるスパウト５５が装着されたスパウト付きパウチ容器５０が使用されるようになってきている。
【０００３】
前記パウチ５１は、内面が熱接着性を有する柔軟性シートによって形成された２枚の外装シート５２、５３の下端部に、同様の柔軟性シートによって形成されたガセットシート５４を二つ折りした状態で挟み込み、その両側縁及び下端縁をヒートシールすることによって形成したものであり、このパウチ５１における未シール状態の上端縁にスパウト５５を挟み込んだ状態で外装シート５２、５３の上端縁を相互にヒートシールすることによって、スパウト５５がパウチ５１に装着されている。
【０００４】
【特許文献１】特開平６−４８４０１号公報
【発明の開示】
【発明が解決しようとする課題】
【０００５】
ところで、上述したスパウト付きパウチ容器５０に充填された液体飲料を、そのスパウト５５から直接飲む場合は、図１５に示すように、スパウト付きパウチ容器５０の胴部を持って、全体を略水平に保持しなければならず、飲みにくいといった問題がある。
【０００６】
また、こういったスパウト付きパウチ容器５０を店頭に陳列する場合は、陳列棚に載置することになるが、パウチ５１からスパウト５５が立ち上がっているので、陳列棚にはある程度の高さが必要になると共に、輸送時や保管時には、梱包するための段ボール箱等が大型化するので、効率よく陳列したり、効率よく輸送、保管したりすることができないという問題がある。
【０００７】
さらに、小容量のスパウト付きパウチ容器５０は、自立安定性に乏しく、倒れやすいといった問題もある。特に、自立性のない平袋タイプのスパウト付きパウチ容器では、固定物等に持たせ掛けるようにして、斜めに立てた状態で順次陳列していかなければならないので、陳列棚の前方側に陳列されているスパウト付きパウチ容器の下端部が前方側に滑って陳列姿勢が崩れやすく、店員が頻繁に陳列姿勢を整えなければならないといった問題がある。
【０００８】
そこで、この発明の課題は、内容物をスパウトから直接飲む場合に飲みやすく、しかも、効率よく、輸送、保管することができると共に、効率よく、確実に陳列することができるスパウト付きパウチ容器を提供することにある。
【課題を解決するための手段】
【０００９】
上記の課題を解決するため、請求項１にかかる発明は、パウチを形成している正面側の外装シート及び背面側の外装シートにおける相互にヒートシールされている上縁にスパウトが装着されたスパウト付きパウチ容器において、前記パウチは、その上部に、正面側または背面側のいずれか一方の前記外装シートが、縦方向に引き延ばし可能に重複している余剰部を有しており、前記余剰部の先端側には、吊下穴が形成された吊下部が連設されていることを特徴とするスパウト付きパウチ容器を提供するものである。
【発明の効果】
【００１０】
以上のように、請求項１にかかる発明のスパウト付きパウチ容器では、正面側または背面側のいずれか一方の外装シートが、縦方向に引き延ばし可能に重複している余剰部を、パウチの上部に有しており、さらに、その余剰部の先端側には、吊下穴が形成された吊下部が連設されているので、スパウトから内容物を充填した後は、吊下部を起こして、略垂直状態に起立させると、スパウトが斜め下方を向くように、パウチの上部が自然に折れ曲がり、スパウトがパウチの上部に突出しない状態となる。従って、このような状態で、輸送や保管を行うと、梱包するための段ボール箱等が小さくてすむと共に、段ボール箱等に効率よく収容することができるので、輸送、保管時における省スペース化を図ることができる。
【００１１】
また、店頭では、起こした吊下部に形成された吊下穴に引っかけて吊り下げ状態で陳列することができるので、陳列棚等に載置する場合のように、倒れたり、陳列姿勢が崩れたりすることがなく、スパウト付きパウチ容器を確実に陳列することができると共に、スパウトがパウチの上部に突出していないので、陳列空間の高さを小さくすることができ、効率よく陳列することができる。
【００１２】
さらに、このスパウト付きパウチ容器に充填された液体飲料等を購入した人が、内容物である液体飲料をスパウトから直接飲む場合は、パウチを握って、パウチの内圧を高めると、一方の外装シートに形成された余剰部が縦方向に引き延ばされて開き、これに伴って、斜め下方を向いていたスパウトが自然に起こされ、斜め上方を向くので、従来のスパウト付きパウチ容器のように、スパウトを口にくわえるために、パウチの胴部を略水平に保持する必要がなく、パウチの胴部を立てた状態で、スパウトを口にくわえることができるので、楽な姿勢で、内容物を飲むことができる。
【発明を実施するための最良の形態】
【００１３】
以下、実施の形態について図面を参照して説明する。図１〜図３に示すスパウト付きパウチ容器１は、清涼飲料等の液体飲料を充填するものであり、ポリエチレンやポリプロピレン等からなる熱接着性を有するシーラントフィルムの外面に、アルミホイル等のガスバリア性シート等を積層した二軸延伸ポリエステルフィルム等をラミネートした厚さ８０〜２００μｍ程度の柔軟性シートによって形成された、扁平状態に折り畳み可能なパウチ１０と、このパウチ１０に装着される、パウチ１０を形成している柔軟性シートのシーラントフィルムと同種の熱接着性樹脂からなるスパウト２０とから構成されている。
【００１４】
前記パウチ１０は、図１（ａ）〜（ｃ）、図２（ａ）、（ｂ）及び図３に示すように、表裏一対の外装シート１１、１２及び両外装シート１１、１２の下部から内側に折り込まれてボトムガセット部を形成するガセットシート１３から構成されており、外装シート１１、１２の内面の周縁同士が相互にヒートシールされると共に、折り込まれたガセットシート１３の内面の周縁が外装シート１１、１２の内面にヒートシールされることで、袋状に形成されている。また、ガセットシート１３の両側縁には、二つ折りした状態で相互に一致する切欠部１３ａがそれぞれ形成されており、この切欠部１３ａを介して、外装シート１１、１２の両側縁における下端部同士が部分的にヒートシールされている。なお、図１〜図３における網掛け表示部分が、パウチ１０のヒートシール部分を示している。
【００１５】
前記スパウト２０は、図４（ａ）、（ｂ）に示すように、パウチ１０に充填された液体飲料を飲むための飲口となる口部本体２１と、この口部本体２１を開閉するスクリューキャップ２２と、口部本体２１に連設された、断面形状が舟形状または楕円形状の装着部２３と、この装着部２３の短手方向（パウチ１０に装着したときにパウチ１０の厚み方向に対応する方向）の両側において、装着部２３から下方側にそれぞれ突出する一対の突出片２４とから構成されており、図１（ａ）〜（ｃ）、図２（ａ）及び図３に示すように、装着部２３がパウチ１０の上縁に挟み込まれた状態でヒートシールされている。
【００１６】
前記パウチ１０の背面側を形成している外装シート１２は、上部を下方側に折り返した第１の外装シート１２ａと、この外装シート１２ａの折り返し部に重ね合わされる第２の外装シート１２ｂとに分割されており、両者の重ね合わせ部分には、両側縁のみが相互にヒートシールされた余剰部１２Ａと、この余剰部１２Ａの先端側に連設される、全領域が相互にヒートシールされた、吊下穴１２Ｂａを有する吊下部１２Ｂとが形成されている。
【００１７】
また、外装シート１２ａ、１２ｂには、両者の重ね合わせ部分と重ね合わされていない部分との境界に折目線Ｆ２、Ｆ３がそれぞれ形成されていると共に、外装シート１１にも、両折目線Ｆ２、Ｆ３に対応する位置に折目線Ｆ１が形成されており、その折目線Ｆ１、Ｆ２を起点として、スパウト２０が装着されたパウチ上部をスイングさせることができるようになっている。即ち、図１（ａ）〜（ｃ）に示すように、スパウト２０が起立した状態から、スパウト２０を斜め下方に倒して、図２（ａ）、（ｂ）及び図３に示すように、余剰部１２Ａ及び吊下部１２Ｂを起立させたり、逆に、図２（ａ）、（ｂ）及び図３に示すように、余剰部１２Ａ及び吊下部１２Ｂが起立した状態から、スパウト２０を起こして、図１（ａ）〜（ｃ）に示すように、スパウト２０を起立させたりすることができるようになっている。
【００１８】
以下、上述したスパウト付きパウチ容器１の製造方法について、図面を参照しながら、説明する。まず、図５及び図６（ａ）、（ｂ）に示すように、外装シート１１となる長尺帯状の柔軟性シートＳ１と、外装シート１２ａとなる長尺帯状の柔軟性シートＳ２との間に、ガセットシート１３となる長尺帯状の柔軟性シートＳ３及び外装シート１２ｂとなる長尺帯状の柔軟性シートＳ４を折り込むように重ね合わせた状態で送出しながら、図７（ａ）に示すように、ガセットシート１３となる部分の周縁と外装シート１１、１２となる部分とを順次ヒートシールした後、柔軟性シートＳ１、Ｓ２、Ｓ３の送出方向に隣接する、上流側の外装シート１１、１２部分における一方の側縁と下流側の外装シート１１、１２部分における他方の側縁とをヒートシールすると共に、柔軟性シートＳ１、Ｓ２には、柔軟性シートＳ４の折込縁に対応する部分に折目線Ｆ１、Ｆ２を形成する。なお、図６（ａ）及び図７において、一点鎖線で囲われた部分が外装シート１１、１２となる部分を示しており、図７（ａ）における網掛け表示部分がヒートシール部分を示している。
【００１９】
続いて、同図（ｂ）に示すように、折目線Ｆ２で柔軟性シートＳ２を折り曲げることにより、柔軟性シートＳ２、Ｓ４の重ね合わせ部分を起立させ、その先端側の吊下部１２Ｂとなる領域を、同図（ｂ）に二点鎖線で示すシールバーＳＢによって、ヒートシールすると共に、吊下穴１２Ｂａとなる穴Ｈを打ち抜いた後、図８に示すように、起立させた柔軟性シートＳ２、Ｓ４の重ね合わせ部分を元の状態に戻す。
【００２０】
このようにして、それぞれの外装シート１１、１２となる部分について、ヒートシールが完了すると、図８に一点鎖線で示す部分が打ち抜かれ、外装シート１１と外装シート１２ａとの間に外装シート１２ｂが折り込まれた状態で、その外装シート１２ｂの上縁と外装シート１１の上縁とがヒートシールされていないパウチ１０が出来上がる。
【００２１】
最後に、図９（ａ）、（ｂ）に示すように、このパウチ１０における外装シート１２ａ及び外装シート１２ｂの重ね合わせ部分、即ち、余剰部１２Ａ及び吊下部１２Ｂ部分を、折目線Ｆ２で外装シート１２ａ側に折り曲げ、未シールの上縁を開いてスパウト２０の装着部２３を挿入した後、スパウト２０の装着部２３をパウチ１０の上縁にヒートシールすると、図１（ａ）〜（ｃ）に示すスパウト付きパウチ容器１が出来上がる。ただし、この段階では、スパウト２０の口部本体２１には、スクリューキャップ２２が取り付けられていない。
【００２２】
以上のように構成されたスパウト付きパウチ容器１に内容物である液体飲料を充填する際は、図１０に示すように、スパウト２０を起立させた状態で、スパウト２０の口部本体２１から内容物が充填され、その後、口部本体２１がスクリューキャップ２２によって閉塞される。
【００２３】
このようにして内容物が充填されたスパウト付きパウチ容器１は、図２（ａ）、（ｂ）及び図３に示すように、スパウト２０を斜め下方に倒して、余剰部１２Ａ及び吊下部１２Ｂを起立させた状態で、梱包用の段ボール箱等に収納して輸送、保管される。従ってスパウトがパウチの上部に突出している従来のスパウト付きパウチ容器とは異なり、梱包するための段ボール箱等が小さくてすむと共に、段ボール箱等に効率よく収容することができるので、輸送、保管時における省スペース化を図ることができる。
【００２４】
また、店頭では、図１１に示すように、吊下用バーＢに、起立している吊下部１２Ｂの吊下穴１２Ｂａを引っかけて、吊下状態で陳列することができるので、陳列棚等に載置する場合のように、倒れたり、陳列姿勢が崩れたりすることがなく、スパウト付きパウチ容器１を確実に陳列することができると共に、スパウト２０がパウチ１０の上部に突出していないので、陳列空間の高さを小さくすることができ、効率よく陳列することができる。
【００２５】
さらに、このスパウト付きパウチ容器１に充填された液体飲料を購入した人が、内容物である液体飲料をスパウト２０から直接飲む場合は、パウチ１０を握って、パウチ１０の内圧を高めると、図１２に示すように、一方の外装シート１２（１２ａ、１２ｂ）に形成された余剰部１２Ａが縦方向に引き延ばされて開き、これに伴って、斜め下方を向いていたスパウト２０が自然に起こされ、斜め上方を向くので、従来のスパウト付きパウチ容器のように、スパウトを口にくわえるために、パウチの胴部を略水平に保持する必要がなく、図１３に示すように、パウチ１０の胴部を立てた状態で、スパウト２０を口にくわえることができるので、楽な姿勢で、内容物を飲むことができる。
【００２６】
また、スパウト２０は、上述したように、パウチ１０内に張り出す一対の突出片２４を備えているので、スパウト２０の口部本体２１を口にくわえて内容物を吸い込むときに、スパウト２０の近傍において、パウチ１０を形成している外装シート１１及び外装シート１２ｂ同士が密接して内容物のスパウト２０への流入を妨げることがなく、スムースに飲むことができる。
【００２７】
なお、上述した実施形態では、２枚の外装シート１２ａ、１２ｂによって、余剰部１２Ａ及び吊下部１２Ｂを形成しているが、これに限定されるものではなく、１枚の外装シートを折り込んで、その先端部及び両側部を相互にヒートシールすることにより、余剰部１２Ａ及び吊下部１２Ｂを形成することも可能である。
【００２８】
また、上述した実施形態では、４枚の柔軟性シートＳ１、Ｓ２、Ｓ３、Ｓ４によってパウチ１０を製袋しているが、これに限定されるものではなく、１枚の柔軟性シートを使用して同様のスパウト付きパウチ容器を製造することも可能である。その場合は、１枚の柔軟性シートを折り畳むことにより、上述した４枚の柔軟性シートＳ１、Ｓ２、Ｓ３、Ｓ４に相当する部分を形成することになる。このように、折り畳んだ１枚の柔軟性シートからパウチ１０を製袋すると、外装シート１１、１２ａ、１２ｂの表面にデザイン印刷等を施す場合に、シート同士の位置合わせを考慮する必要がなく、デザインに位置ずれのない綺麗なパウチを確実に製袋することができるという効果が得られる。
【００２９】
また、上述した実施形態では、スパウト２０に突出片２４を設けているが、こういった片状のものに限定されるものではなく、パウチ１０に充填された内容物の流出を妨げることなく、パウチ１０を形成している外装シート１１及び外装シート１２ｂ同士が密接するのを防止することができるのであれば、横断面十字状のものや網筒状のもの等、種々の形状を採用することができる。
【００３０】
また、上述した実施形態では、余剰部１２Ａ及び吊下部１２Ｂを一方の外装シート１２の全幅にわたって設ける構成を採用しているが、本発明はこれに限定されるものではなく、余剰部を外装シートに部分的に設ける構成を採用してもよい。
【００３１】
また、上述した実施形態では、パウチ１０を製袋する際、外装シート１２ｂとなる柔軟性シートＳ４を折り込んでいるため、外装シート１２ｂに折目線Ｆ３が形成されているが、この折目線Ｆ３で、外装シート１２ｂを折り曲げることはないので、他の製袋方法を採用する場合は、折目線Ｆ３を形成する必要はない。
【００３２】
また、上述した各実施形態では、ボトムガセットタイプのスパウト付きパウチ容器１について説明したが、これに限定されるものではなく、本発明は、サイドガセットタイプのスパウト付きパウチ容器やガセット部のないスパウト付きパウチ容器についても適用することができることはいうまでもない。
【図面の簡単な説明】
【００３３】
【図１】（ａ）はこの発明にかかるスパウト付きパウチ容器の一実施形態を示す正面図、（ｂ）は同上のスパウト付きパウチ容器を示す背面図、（ｃ）は同上のスパウト付きパウチ容器を示す側面図である。
【図２】（ａ）は同上のスパウト付きパウチ容器の使用状態を示す正面図、（ｂ）は同上のスパウト付きパウチ容器を示す背面図である。
【図３】同上のスパウト付きパウチ容器の使用状態を示す側面図である。
【図４】（ａ）は同上のスパウト付きパウチ容器に使用されているスパウトを示す正面図、（ｂ）は同上のスパウトを示す側面図である。
【図５】同上のスパウト付きパウチ容器の製造に使用される柔軟性シートの関係を示す斜視図である。
【図６】（ａ）、（ｂ）は同上のスパウト付きパウチ容器の製造方法を示す工程図である。
【図７】（ａ）、（ｂ）は同上のスパウト付きパウチ容器の製造方法を示す工程図である。
【図８】同上のスパウト付きパウチ容器の製造方法を示す工程図である。
【図９】（ａ）は製袋されたパウチを示す正面図、（ｂ）は同上のパウチを示す背面図である。
【図１０】同上のスパウト付きパウチ容器に内容物を充填する時の状態を示す側面図である。
【図１１】同上のスパウト付きパウチ容器を店頭で陳列する時の状態を示す側面図である。
【図１２】同上のスパウト付きパウチ容器に充填された内容物を飲むときの状態を示す側面図である。
【図１３】同上のスパウト付きパウチ容器に充填された内容物を飲む人の姿勢を説明するための説明図である。
【図１４】従来のスパウト付きパウチ容器を示す斜視図である。
【図１５】従来のスパウト付きパウチ容器に充填された内容物を飲む人の姿勢を説明するための説明図である。
【符号の説明】
【００３４】
１  スパウト付きパウチ容器
１０  パウチ
１１、１２、１２ａ、１２ｂ  外装シート
１２Ａ  余剰部
１２Ｂ  吊下部
１２Ｂａ  吊下穴
１３  ガセットシート
２０  スパウト
２１  口部本体
２２  スクリューキャップ
２３  装着部
２４  突出片
Ｆ１、Ｆ２、Ｆ３  折目線
Ｓ１、Ｓ２、Ｓ３、Ｓ４  柔軟性シート
Ｈ  穴
ＳＢ  シールバー
【図１】
2008081128.tif 000003
【図２】
2008081128.tif 000004
【図３】
2008081128.tif 000005
【図４】
2008081128.tif 000006
【図５】
2008081128.tif 000007
【図６】
2008081128.tif 000008
【図７】
2008081128.tif 000009
【図８】
2008081128.tif 000010
【図９】
2008081128.tif 000011
【図１０】
2008081128.tif 000012
【図１１】
2008081128.tif 000013
【図１２】
2008081128.tif 000014
【図１３】
2008081128.tif 000015
【図１４】
2008081128.tif 000016
【図１５】
2008081128.tif 000017